(57)【要約】【課題】光を照射する方向が可変であり、かつ、施工しやすい照明器具を提供する。【解決手段】照明器具８０は、器具本体１０と、可動部３０と、反射部５０とを備える。器具本体１０は、１つの面が開口された箱状である。可動部３０は、光源ユニット２０が取り付けられる取付面３１を有する。可動部３０は、器具本体１０の内側において複数の位置から選択された１つの位置に固定されている。可動部３０が固定された位置に応じて、可動部３０の取付面３１の向きが変わる。反射部５０は、器具本体１０の内側において可動部３０とは別個に設置されている。反射部５０は、光源ユニット２０が可動部３０の取付面３１に取り付けられた状態で光源ユニット２０からの光を器具本体１０の外側に向けて反射する。【選択図】図２
2018006088.tif 000002
【特許請求の範囲】
【請求項１】
１つの面が開口された箱状の器具本体と、
光源ユニットが取り付けられる取付面を有し、前記器具本体の内側において複数の位置から選択された１つの位置に固定され、固定された位置に応じて前記取付面の向きが変わる可動部と、
前記器具本体の内側において前記可動部とは別個に設置され、前記光源ユニットが前記可動部の取付面に取り付けられた状態で前記光源ユニットからの光を前記器具本体の外側に向けて反射する反射部と
を備える照明器具。
【請求項２】
前記器具本体の開口された面は、前記器具本体の高さ方向の一端面であり、
前記可動部は、前記器具本体の長さ方向に沿って延びる軸を中心に回転させられて位置が調整される請求項１に記載の照明器具。
【請求項３】
前記器具本体の内側において前記器具本体の長さ方向に沿って互いに離れて設置された一対の取付部をさらに備え、
前記可動部は、前記器具本体の長さ方向における前記可動部の両端から突出する回転軸部を有し、
前記一対の取付部のそれぞれには、前記回転軸部が引っ掛けられるスリット部が設けられている請求項２に記載の照明器具。
【請求項４】
前記器具本体の内側において前記スリット部の入口と前記器具本体の高さ方向の一端面の開口との間に設置され、前記回転軸部が前記スリット部の入口から抜け出た場合の前記開口までの通り道を塞ぐ遮光部をさらに備える請求項３に記載の照明器具。
【請求項５】
前記器具本体の内側において前記器具本体の長さ方向に沿って互いに離れて設置された一対の取付部をさらに備え、
前記可動部は、前記器具本体の長さ方向における前記可動部の両端から突出するピン部を有し、
前記一対の取付部のそれぞれには、前記複数の位置に１対１で対応し選択された１つに前記ピン部が引っ掛けられる複数の調整部が設けられている請求項２に記載の照明器具。
【請求項６】
前記器具本体の内側に設置され、前記可動部が前記複数の位置のいずれに固定されている状態でも前記可動部に対して前記反射部がある側とは反対側に位置する遮光部をさらに備える請求項１から３のいずれか１項または請求項５に記載の照明器具。
【請求項７】
前記可動部は、前記複数の位置のいずれに固定されている状態でも前記器具本体の幅方向における中心線に対して片側に位置し、
前記反射部の少なくとも一部は、前記器具本体の幅方向における中心線に対して前記可動部がある側とは反対側に位置する請求項２から６のいずれか１項に記載の照明器具。
【請求項８】
請求項１から７のいずれか１項に記載の照明器具と、
前記可動部の取付面に取り付けられた光源ユニットと
を備える照明装置。
【発明の詳細な説明】
【技術分野】
【０００１】
本発明は、照明器具および照明装置に関するものである。
【背景技術】
【０００２】
従来、光源から出力される光の角度を変えることができる照明装置がある。
【０００３】
特許文献１に記載の照明装置は、黒板用の照明装置である。この照明装置では、略円弧状に形成された反射板に、蛍光灯と、反射板を固定するための可動軸とが取り付けられている。可動軸が器具本体に挿し込まれる位置を変更することで、蛍光灯の位置も変更され、蛍光灯から光を照射する方向を変更することができる。
【先行技術文献】
【特許文献】
【０００４】
【特許文献１】特開２００２−２８９０２８号公報
【発明の概要】
【発明が解決しようとする課題】
【０００５】
特許文献１に記載の照明装置では、器具本体を天井または壁といった被取付部に固定するときは、反射板を取り外す必要がある。しかし、反射板は、蛍光灯を取り付けられるように大きく形成されているため、取り外しにくい。よって、施工が難しい。また、蛍光灯の代替として、電源装置付きの光源ユニットを反射板に取り付けることを考えた場合、蛍光灯よりも重い光源ユニットを支えるためには、反射板の板厚を厚くしたり、補強部材を加えたりして強度を向上させる必要がある。そのため、照明装置が全体的に重くなり、さらに施工が難しくなる。
【０００６】
本発明は、光を照射する方向が可変であり、かつ、施工しやすい照明器具を提供することを目的とする。
【課題を解決するための手段】
【０００７】
本発明の一態様に係る照明器具は、
１つの面が開口された箱状の器具本体と、
光源ユニットが取り付けられる取付面を有し、前記器具本体の内側において複数の位置から選択された１つの位置に固定され、固定された位置に応じて前記取付面の向きが変わる可動部と、
前記器具本体の内側において前記可動部とは別個に設置され、前記光源ユニットが前記可動部の取付面に取り付けられた状態で前記光源ユニットからの光を前記器具本体の外側に向けて反射する反射部とを備える。
【発明の効果】
【０００８】
本発明では、光源ユニットが取り付けられる可動部と、光源ユニットからの光を反射する反射部とが、器具本体の内側に別々に設置され、反射部が個別に取り外せることで照明器具を施工しやすくすることができる。
【図面の簡単な説明】
【０００９】
【図１】実施の形態１に係る照明装置の斜視図および部分拡大図。
【図２】実施の形態１に係る照明装置の側面図。
【図３】実施の形態１に係る照明器具の斜視図および部分拡大図。
【図４】実施の形態１に係る照明器具の側面図。
【図５】実施の形態１に係る照明器具の分解斜視図および部分拡大図。
【図６】実施の形態１に係る照明器具の可動部が取り外された状態を示す側面図。
【図７】実施の形態１に係る照明器具の底面図。
【図８】実施の形態１に係る光源ユニットの斜視図。
【図９】実施の形態１に係る照明器具の組立手順を示す図。
【図１０】実施の形態１に係る照明器具の組立手順を示す図。
【図１１】実施の形態１に係る照明器具の組立手順を示す図。
【図１２】実施の形態１に係る照明器具の組立手順を示す図。
【図１３】実施の形態１に係る照明器具の組立手順を示す図。
【図１４】実施の形態１に係る照明器具の施工手順を示す図。
【図１５】実施の形態２に係る照明装置の組立手順を示す図。
【図１６】実施の形態２に係る照明装置の組立手順を示す図。
【図１７】実施の形態２に係る照明装置の組立手順を示す図。
【図１８】実施の形態２に係る照明装置の組立手順を示す図。
【発明を実施するための形態】
【００１０】
以下、本発明の実施の形態について、図を用いて説明する。なお、各図中、同一または相当する部分には、同一符号を付している。実施の形態の説明において、同一または相当する部分については、説明を適宜省略または簡略化する。また、実施の形態の説明において、「上」、「下」、「左」、「右」、「前」、「後」、「表」、「裏」といった配置または向きは、説明の便宜上、そのように記しているだけであって、装置、器具、部品等の配置または向きを限定するものではない。装置、器具、部品等の構成について、材質、形状、大きさ等は、本発明の範囲内で適宜変更することができる。
【００１１】
実施の形態１．
本実施の形態について、図１から図１４を用いて説明する。
【００１２】
＊＊＊構成の説明＊＊＊
図１および図２を参照して、本実施の形態に係る照明装置９０の構成を説明する。
【００１３】
図１は、照明装置９０を斜め下方から見た図、および、その図の一部を拡大した図である。図２は、照明装置９０を側方から見た図であるが、便宜上、照明装置９０の一部の構成要素を省略している。なお、本実施の形態の説明において、「上方」、「下方」、「側方」、「前方」、「後方」、「斜め上方」、「斜め下方」といった方向は、照明装置９０が天井に設けられた穴に埋め込まれているときの方向を示している。
【００１４】
照明装置９０は、本実施の形態では、天井に設けられた穴に埋め込まれて使用されるが、壁等、天井以外の被取付部に設けられた穴に埋め込まれて使用されてもよいし、被取付部に直接取り付けられて使用されてもよい。また、照明装置９０は、本実施の形態では、黒板を照射するために使用されるが、壁面等、黒板以外の被照射物を照射するために使用されてもよい。
【００１５】
照明装置９０は、照明器具８０と、光源ユニット２０とを備える。
【００１６】
照明器具８０は、被取付部に設けられた埋込用穴に挿入される器具本体１０と、光源ユニット２０が取り付けられる可動部３０と、可動部３０が取り付けられる取付部４０と、光源ユニット２０が照射する光を黒板がある方向へ反射する反射部５０と、光源ユニット２０が照射する光の一部を遮光する遮光部６０とを備えている。
【００１７】
図１および図２のほかに、図３から図７を参照して、本実施の形態に係る照明器具８０の構成を説明する。
【００１８】
図３は、照明器具８０を斜め下方から見た図、および、その図の一部を拡大した図である。すなわち、図３は、図１の照明装置９０から光源ユニット２０を取り外した状態を示している。図４は、照明器具８０を側方から見た図であるが、便宜上、照明器具８０の一部の構成要素を省略している。すなわち、図４は、図２の照明装置９０から光源ユニット２０を取り外した状態を示している。図５は、照明器具８０を分解した図、および、その図の一部を拡大した図である。図６は、図４の照明器具８０から可動部３０を取り外した状態を示している。図７は、照明器具８０を下方から見た図である。
【００１９】
器具本体１０は、１つの面が開口された箱状である。本実施の形態において、器具本体１０の開口された面は、器具本体１０の高さ方向Ｚの一端面、すなわち、器具本体１０の下端面である。つまり、本実施の形態では、器具本体１０の下端面に開口１７が設けられている。器具本体１０は、任意の形状でよいが、本実施の形態では、幅方向Ｘの寸法よりも長さ方向Ｙの寸法が大きい長尺状である。器具本体１０の高さ方向Ｚの寸法は、任意の寸法でよいが、本実施の形態では、幅方向Ｘの寸法よりも小さい。
【００２０】
器具本体１０は、開口された面に対向する面である、器具本体１０の高さ方向Ｚの他端面、すなわち、器具本体１０の上端面を形成する本体平板部１１を有する。本体平板部１１には、器具本体１０を天井に固定するための固定具が挿し込まれる固定孔１４と、図示していない電線を引き込むための電源穴１５が形成されている。また、本体平板部１１には、端子台１２が取り付けられている。
【００２１】
図示していないが、端子台１２には、商用電源から電力供給を受けるために器具本体１０の外部から引き込まれる電線が接続される。端子台１２は、光源ユニット２０の電源コネクタと接続する端子台コネクタ１６を有しており、商用電源から供給された電力を、端子台コネクタ１６を介して光源ユニット２０に供給する。
【００２２】
可動部３０は、光源ユニット２０が取り付けられる取付面３１を有する。可動部３０は、器具本体１０の内側において複数の位置から選択された１つの位置に固定されている。可動部３０が固定された位置に応じて、可動部３０の取付面３１の向きが変わる。よって、光源ユニット２０が可動部３０の取付面３１に取り付けられた状態では、可動部３０が固定された位置に応じて、光源ユニット２０から照射される光の方向が変わる。可動部３０を固定可能な「複数の位置」としては、２つ以上の位置があればよいが、本実施の形態では、３つの位置が設定されている。また、必須ではないが、本実施の形態では、これら３つの位置とは別に、施工時に可動部３０を固定する位置も設定されている。可動部３０は、任意の形状でよいが、本実施の形態では、器具本体１０の形状にあわせて、器具本体１０の幅方向Ｘにおける寸法よりも器具本体１０の長さ方向Ｙにおける寸法が大きい長尺状になっている。可動部３０は、具体的には、長尺状のケースとして形成されている。
【００２３】
本実施の形態において、可動部３０は、器具本体１０の長さ方向Ｙに沿って延びる軸を中心に回転させられて位置が調整される。このため、可動部３０を器具本体１０の長さ方向Ｙと平行にした状態を保ちながら、可動部３０の取付面３１の向きを調整することができる。よって、光源ユニット２０が可動部３０の取付面３１に取り付けられた状態では、黒板の高さ位置に応じて、光源ユニット２０から照射される光の方向を適切かつ簡単に調整することができる。
【００２４】
可動部３０の回転の軸を形成する要素としては、任意の要素を採用してよいが、本実施の形態において、可動部３０は、器具本体１０の長さ方向Ｙにおける可動部３０の両端から突出する回転軸部３４を有する。
【００２５】
また、可動部３０の回転により可動部３０の位置が調整されてから、可動部３０を当該位置に固定する要素としては、任意の要素を採用してよいが、本実施の形態において、可動部３０は、器具本体１０の長さ方向Ｙにおける可動部３０の両端から突出するピン部３５を有する。
【００２６】
可動部３０は、１つの面が開口された直方体形状である。可動部３０の開口された面に対向する取付面３１には、端子台コネクタ１６を引き込むためのコネクタ孔３７が形成されている。また、取付面３１には、バネ３２が配置されている。バネ３２は、取付面３１の長手方向の両端付近に１つずつ配置されている。バネ３２は、先端部分が折れ曲がっており、中間部分が湾曲している。
【００２７】
可動部３０の回動の軸となる回転軸部３４と、スライド可能に設けられたピン部３５は、可動部３０の長手方向の端面である長手端面３３から突き出すように設けられている。ピン部３５は、つまみ部３８を有する。つまみ部３８は、可動部３０の開口の周縁部に形成された鍔部３６から突き出すように設けられている。つまみ部３８を操作することでピン部３５のスライド動作を制御することができる。
【００２８】
反射部５０は、器具本体１０の内側において可動部３０とは別個に設置されている。反射部５０は、光源ユニット２０が可動部３０の取付面３１に取り付けられた状態で光源ユニット２０からの光を器具本体１０の外側に向けて反射する。本実施の形態では、可動部３０と反射部５０とが別々に設置されているため、組立性および操作性が向上する。反射部５０は、本実施の形態では、板状に形成されている。
【００２９】
反射部５０は、光源ユニット２０からの光を黒板がある方向へ反射する反射面５１を有する。反射面５１は、光源ユニット２０および可動部３０と対向するように形成されている。
【００３０】
反射部５０は、反射部５０が器具本体１０の内側に設置されている状態で器具本体１０の開口１７の周縁部に形成された鍔部１８と並行および隣接する鍔部５４を有する。鍔部５４は、反射部５０の一端部に相当する。反射部５０の他端部には、挿込片５２が設けられている。鍔部５４には、スライド可能なピン部５３が設けられている。ピン部５３は、操作部５５を有する。操作部５５は、鍔部５４から突き出すように設けられている。操作部５５を操作することでピン部５３のスライド動作を制御することができる。
【００３１】
取付部４０は、一対備えられている。これら一対の取付部４０は、器具本体１０の内側において器具本体１０の長さ方向Ｙに沿って互いに離れて設置されている。具体的には、一対の取付部４０は、器具本体１０の長さ方向Ｙの両端を塞ぐ長手端板１３に対向および隣接するように設けられている。可動部３０および反射部５０は、一対の取付部４０の両方に別々に取り付けられて固定されている。取付部４０は、本実施の形態では、板状に形成されている。
【００３２】
一対の取付部４０のそれぞれには、回転軸部３４が引っ掛けられるスリット部４１が設けられている。本実施の形態では、回転軸部３４をスリット部４１に引っ掛けて固定することで、可動部３０を回転させることができるようになる。
【００３３】
また、一対の取付部４０のそれぞれには、可動部３０を固定可能な「複数の位置」に１対１で対応する複数の調整部４２が設けられている。複数の調整部４２から選択された１つの調整部４２には、ピン部３５が引っ掛けられる。本実施の形態では、ピン部３５を調整部４２に挿し込んで引っ掛けることで、可動部３０を回転しないようにする、すなわち、可動部３０を固定することができる。一対の取付部４０のそれぞれに設けられる調整部４２の数は、可動部３０を固定可能な「複数の位置」と同数であり、本実施の形態では、３つである。調整部４２は、具体的には、それぞれ円形の孔である。
【００３４】
一対の取付部４０のそれぞれには、複数の調整部４２のほかに、施工時に可動部３０を固定する位置に対応する施工用の孔４８も設けられている。本実施の形態では、調整部４２である３つの孔が、スリット部４１の入口４７とは反対側の端部であるスリット端部４６を中心として一定の角度の間隔を空けて形成されているとともに、施工用の孔４８が、それら３つの孔のうち最も上に位置する孔よりもさらに上に、上記「一定の角度」よりも大きい角度の間隔を空けて形成されている。
【００３５】
一対の取付部４０のそれぞれには、さらに、反射部５０の挿込片５２が挿し込まれるスリット状の受部４３と、反射部５０に設けられたピン部５３が挿し込まれる固定孔４４と、器具本体１０の長手端板１３に向かって突き出すように形成された鍔部４５とが設けられている。
【００３６】
遮光部６０は、可動部３０が複数の位置のいずれに固定されている状態でも可動部３０に対して反射部５０がある側とは反対側に位置するように器具本体１０の内側に設置されている。このため、遮光部６０は、照明装置９０に対して黒板がある側とは反対側に漏れる光を遮ることができる。よって、グレアの発生を防ぐことができる。遮光部６０は、本実施の形態では、板状に形成されている。遮光部６０は、可動部３０と対向する対向面６１を有している。
【００３７】
本実施の形態において、遮光部６０は、器具本体１０の内側においてスリット部４１の入口４７と器具本体１０の高さ方向Ｚの一端面の開口１７との間に設置されている。遮光部６０は、回転軸部３４がスリット部４１の入口４７から抜け出た場合の開口１７までの通り道を塞いでいる。具体的には、図６に示すように、照明器具８０を側方から見たときに、スリット部４１の入口４７から器具本体１０の開口１７までつながる空間の幅が途中で回転軸部３４の直径よりも小さい幅Ｗになるように遮光部６０と一対の取付部４０のそれぞれとが互いに近接している。このため、回転軸部３４がスリット部４１の入口４７から誤って抜け落ちても、器具本体１０の開口１７まで落下することがなくなり、意図しない可動部３０の落下を防ぐことができる。なお、幅Ｗは「０」でもよい。すなわち、遮光部６０と一対の取付部４０のそれぞれとが互いに接触していてもよい。
【００３８】
本実施の形態では、図２に示すように、可動部３０が、「複数の位置」のいずれに固定されている状態でも器具本体１０の幅方向Ｘにおける中心線Ｌに対して片側に位置する。そして、反射部５０の少なくとも一部が、器具本体１０の幅方向Ｘにおける中心線Ｌに対して可動部３０がある側とは反対側に位置する。そのため、「反対側」に照射される光の量を増大させることができる。なお、図２では、「片側」は左側であり、「反対側」は右側であり、図示していない黒板は、照明装置９０の右側下方に配置されることになる。
【００３９】
本実施の形態では、図７に示すように、天井に埋め込まれる器具本体１０の開口１７から器具本体１０の内側を覗いても、可動部３０の可動領域Ｒ以外の部分が反射部５０と遮光部６０と取付部４０の鍔部４５によって隠されている。したがって、器具本体１０の本体平板部１１の露出を防ぐことができ、固定孔１４に挿し込まれる固定具、電源穴１５から引き込まれる電線、端子台１２等を隠すことができるため、意匠性が向上する。
【００４０】
図８を参照して、本実施の形態に係る光源ユニット２０の構成を説明する。
【００４１】
図８は、光源ユニット２０を斜め上方から見た図である。
【００４２】
光源ユニット２０は、可動部３０の取付面３１に取り付けられる。光源ユニット２０は、本実施の形態では、可動部３０に着脱自在に取り付けられる。光源ユニット２０は、可動部３０に取付可能な形状であればよいが、本実施の形態では、可動部３０の形状にあわせて、器具本体１０の幅方向Ｘにおける寸法よりも器具本体１０の長さ方向Ｙにおける寸法が大きい長尺状になっている。
【００４３】
光源ユニット２０は、図示していない光源部と、フレーム２２と、カバー２１と、光源蓋部２７と、バネ受部２３と、電源装置２４とを有する。
【００４４】
光源部は、光を照射する。本実施の形態において、光源部は、複数のＬＥＤと、これら複数のＬＥＤが実装された基板とからなる。基板は、光源ユニット２０が可動部３０に装着された状態で長尺方向が可動部３０の長尺方向とほぼ一致するように長尺状に形成されている。ＬＥＤは、基板の長尺方向に沿って直線状に並ぶように基板に配置されている。なお、ＬＥＤに代えて、有機ＥＬ、レーザダイオード等、他の種類の固体発光素子が用いられてもよい。固体発光素子の数は、複数に限らず、１つであってもよい。
【００４５】
フレーム２２は、光源部を片面である光源設置面で保持し、電源装置２４を別の片面である保持部背面２５で保持している。本実施の形態において、フレーム２２は、長手状である。フレーム２２は、光源部が取り付けられる矩形板状の底壁部７１と、底壁部７１の長手方向の両側辺から垂直に突出した側壁部７２とからなる。すなわち、フレーム２２は、片面が光源設置面であり、別の片面が保持部背面２５である底壁部７１と、この別の片面の両側から立ち上がる側壁部７２とを有する。底壁部７１の光源部が取り付けられる面である光源設置面の反対側の保持部背面２５には、電源装置２４だけでなく、バネ受部２３も配置されている。保持部背面２５におけるバネ受部２３の設置箇所は、可動部３０の取付面３１におけるバネ３２の設置箇所と対応している。
【００４６】
カバー２１は、フレーム２２の光源設置面がある側に取り付けられ、光源部を覆っている。カバー２１は、光源部から照射される光を、外側に露出している発光面２６から出射する。本実施の形態において、カバー２１は、長手状である。カバー２１は、光源部の光軸方向に配置されて光源部から遠ざかる方向に張り出す第１湾曲部７３と、第１湾曲部７３の両側に形成されて光源部に近づく方向に凹む第２湾曲部７４とを有する。第１湾曲部７３は、断面が円弧状に形成されている。第１湾曲部７３は、光源部から照射される光を拡散させることで配光を制御する。第２湾曲部７４は、光源ユニット２０の着脱時に作業者によってつまんで保持される。カバー２１は、さらに、断面がコ字状であり、第２湾曲部７４の端部に形成され、フレーム２２を側壁部７２側より挟み込むようにフレーム２２に固定される接続部７５を有する。カバー２１は、押出成形が可能な樹脂材料で形成されている。樹脂材料としては、ポリカーボネート（ＰＣ）等が使用される。カバー２１には、光の波長変換の機能が付加されていてもよい。
【００４７】
光源蓋部２７は、フレーム２２およびカバー２１の長手方向の両端部に形成される開口を塞いでいる。
【００４８】
バネ受部２３は、光源ユニット２０を可動部３０に固定するための金具である。バネ受部２３には、穴が開けられている。バネ受部２３は、フレーム２２の底壁部７１の２箇所にネジで固定されている。
【００４９】
電源装置２４は、光源部に電力を供給する。これにより、電源装置２４は、光源部を点灯させる。具体的には、電源装置２４は、可動部３０のコネクタ孔３７から引き込まれた端子台コネクタ１６を介して入力される商用電源からの交流電力を直流電力に変換し、この直流電力を光源部に供給することで、光源部を点灯させる。図示していないが、電源装置２４は、交流電力を直流電力に変換する点灯回路部を有する。点灯回路部は、電源装置２４の箱状のケースに収容されている。
【００５０】
＊＊＊組立方法の説明＊＊＊
図１から図８のほかに、図９から図１４を参照して、本実施の形態に係る照明装置９０の各部の組立方法を説明する。
【００５１】
図９から図１３を参照して、器具本体１０の内側に取付部４０、可動部３０、遮光部６０を順番に設置する手順を説明する。なお、図９から図１３では、器具本体１０の長手端板１３を省略している。また、ここでは、器具本体１０の長さ方向Ｙの一端側に関して説明を行うが、他端側も同じ手順で組み立てられる。
【００５２】
最初に、図９に示すように、取付部４０が器具本体１０の本体平板部１１に取り付けられる。ここでは、器具本体１０の長さ方向Ｙの一端を見たときに、取付部４０の可動部３０が取り付けられる部分が左側、取付部４０の反射部５０が取り付けられる部分が右側に位置しているものとする。
【００５３】
次に、取付部４０に可動部３０が取り付けられる。このとき、図１０に示すように、可動部３０の取付面３１が左側を向いた状態で、回転軸部３４がスリット部４１に挿し込まれる。そして、図１１に示すように、回転軸部３４がスリット部４１のスリット端部４６までスライド移動させられる。回転軸部３４がスリット端部４６に到達したら、回転軸部３４を回転の中心として可動部３０が反時計回りに回転させられ、ピン部３５が施工用の孔４８に挿し込まれる。これにより、図１２に示すように、可動部３０が固定される。端子台コネクタ１６は、コネクタ孔３７から引き込まれ、可動部３０内に配置される。なお、ピン部３５は、調整部４２である３つの孔のいずれかに挿し込まれてもよい。
【００５４】
次に、図１３に示すように、遮光部６０が可動部３０の下方に固定される。このとき、遮光部６０は、スリット部４１につながる空間をほとんど塞いでいる。よって、前述したような可動部３０の外れ防止の効果が得られる。
【００５５】
図１４を参照して、取付部４０、可動部３０および遮光部６０が内側に設置された器具本体１０を天井に取り付ける手順、すなわち、施工の手順を説明する。
【００５６】
器具本体１０の内側に反射部５０が設置されている場合には、反射部５０が取り外される。操作部５５を操作してピン部５３を固定孔４４から外し、挿込片５２を受部４３から引き抜くことで、反射部５０を取付部４０から取り外すことができる。
【００５７】
図１４に示すように、ピン部３５が調整部４２から外され、回転軸部３４がスリット部４１に引っ掛けられているだけで、可動部３０が回転できる状態でも、施工は可能であるが、本実施の形態では、可動部３０がそのような状態になっている場合には、器具本体１０の内側に固定される。可動部３０を反時計回りに回転させ、つまみ部３８を操作してピン部３５を施工用の孔４８に挿し込むことで、可動部３０を器具本体１０の内側に固定することができる。
【００５８】
上記のように、施工時は、器具本体１０が図１３に示した状態となる。そして、この状態において、本体平板部１１の幅方向Ｘの中心線上に設けられた固定孔１４に、前述した固定具の例であるボルト８１が挿通され、ナット８２が締め込まれる。これにより、器具本体１０は、天井に固定される。
【００５９】
本実施の形態では、可動部３０と反射部５０とを別々に設け、可動部３０を施工用の位置に固定することで、固定孔１４を露出させ、ナット８２を工具等で締め込む作業空間を容易に確保することができ、器具本体１０を被取付部に容易に固定することができる。つまり、本実施の形態では、被取付部に固定するための固定具が挿し込まれる固定孔１４が別々に設けられた可動部３０と反射部５０とで隠されているが、反射部５０は容易に外すことができ、可動部３０は作業の邪魔にならない位置に固定することができるため、器具本体１０を被取付部に容易に固定することができる。なお、固定孔１４の数および位置は、施工作業のスペースを確保できる範囲で任意に設定することができる。
【００６０】
図４を参照して、器具本体１０の内側に反射部５０を設置する手順を説明する。
【００６１】
取付部４０に反射部５０が取り付けられる際には、挿込片５２が受部４３に挿し込まれる。そして、ピン部５３が固定孔４４に挿し込まれる。これにより、反射部５０が固定される。結果として、照明器具８０が組み立てられたことになる。
【００６２】
図２、図３および図８を参照して、光源ユニット２０を可動部３０に取り付ける手順を説明する。
【００６３】
まず、可動部３０のバネ３２の先端部分が、光源ユニット２０のバネ受部２３の穴に引っ掛けられる。
【００６４】
次に、光源ユニット２０が可動部３０側へ押し込まれることで、光源ユニット２０の一部が可動部３０の内側に挿入される。このとき、バネ３２の中間部分がバネ受部２３の穴の縁部で摺動しながら、バネ受部２３の先端部分が可動部３０の取付面３１に当たるまで、光源ユニット２０が押し込まれる。これにより、光源ユニット２０が可動部３０に固定される。結果として、照明装置９０が組み立てられたことになる。
【００６５】
図２を参照して、可動部３０の位置を調整する手順を説明する。
【００６６】
可動部３０の位置が調整されることで、光源ユニット２０からの光の照射方向が調整される。このとき、つまみ部３８が操作されてピン部３５が施工用の孔４８から外される。そして、可動部３０が時計回りに回転させられ、再びつまみ部３８が操作されてピン部３５が、調整部４２である３つの孔のいずれかに挿し込まれる。これにより、可動部３０が「複数の位置」のいずれかに固定される。
【００６７】
光の照射方向が変更される場合も、同様に、つまみ部３８が操作されてピン部３５が１つの調整部４２から外される。そして、可動部３０が時計回りまたは反時計回りに回転させられ、再びつまみ部３８が操作されてピン部３５が他の調整部４２に挿し込まれる。これにより、可動部３０を固定する位置が変更される。
【００６８】
可動部３０の位置の調整および変更は、光源ユニット２０が可動部３０に取り付けられていない状態でも可能であるが、光源ユニット２０が取り付けられた状態で行われることで、可動部３０の長手方向の両端でピン部３５が異なる調整部４２に挿し込まれるという事態を回避しやすくなる。これは、長手方向の両端でピン部３５が異なる調整部４２に挿し込まれると、可動部３０がねじれた状態になるが、光源ユニット２０が取り付けられていれば、可動部３０がねじれ難いからである。また、仮に可動部３０がねじれた状態で固定されたとしても、光源ユニット２０との間に隙間が形成され、誤装着の認識が容易になるからである。
【００６９】
＊＊＊実施の形態の効果の説明＊＊＊
本実施の形態では、光源ユニット２０が取り付けられる可動部３０と、光源ユニット２０からの光を反射する反射部５０とが、器具本体１０の内側に別々に設置され、反射部５０が個別に取り外せることで照明器具８０を施工しやすくすることができる。また、可動部３０を動かすことで光を照射する方向を変えることができるとともに、反射部５０を小さく形成することで照明器具８０を施工しやすくすることができる。
【００７０】
また、本実施の形態では、反射部５０と遮光部６０との間で、遮光部６０に近い側に可動部３０の回転の軸が設けられている。そのため、可動部３０が回転しても光源ユニット２０と遮光部６０の対向面６１との位置関係がほとんど変わらない。
【００７１】
さらに、本実施の形態では、可動部３０が器具本体１０の幅方向Ｘにおける中心線Ｌに対して被照射物が配置される側とは反対側に寄せられている。よって、遮光部６０の小型化が可能であるとともに、器具本体１０の大型化を抑制することができる。
【００７２】
本実施の形態によれば、遮光部６０によって、被照射物が配置される側とは反対側へ照射される光に起因するグレアを防ぐことができる。本実施の形態では、被照射物が黒板であり、黒板と反対側には生徒がいることが想定される。グレアを防ぐことで生徒にまぶしさを感じさせないという効果が得られる。
【００７３】
本実施の形態によれば、容易に配光制御を行える照明装置９０を提供することができる。
【００７４】
＊＊＊他の構成＊＊＊
本実施の形態では、可動部３０および反射部５０が、取付部４０に取り付けられて固定されているが、変形例として、可動部３０および反射部５０は、器具本体１０に直接取り付けられて固定されていてもよい。この変形例では、取付部４０を省略することができる。
【００７５】
実施の形態２．
本実施の形態について、主に実施の形態１との差異を、図１５から図１８を用いて説明する。
【００７６】
実施の形態１では、反射部５０の一端部に相当する鍔部５４にピン部５３が設けられ、反射部５０の他端部に挿込片５２が設けられている。反射部５０は、挿込片５２が取付部４０の受部４３に挿し込まれ、ピン部５３が取付部４０の固定孔４４に挿し込まれることで、取付部４０に固定されている。一方、本実施の形態では、反射部５０の一端部に相当する鍔部５４に引掛爪５６が設けられ、反射部５０の他端部に目隠し部５７が設けられている。反射部５０は、引掛爪５６が、器具本体１０の長さ方向Ｙに延びる側壁の下端付近に設けられた孔に挿し込まれ、目隠し部５７よりも中央部に近い位置がつまみネジ５８によって取付部４０の受部４３に締結されることで、取付部４０に固定されている。
【００７７】
図１５から図１８を参照して、器具本体１０の内側に反射部５０を設置する手順を説明する。
【００７８】
最初に、図１５に示すように、ピン部３５が調整部４２から外され、回転軸部３４がスリット部４１に引っ掛けられているだけで、可動部３０が回転できる状態で、反射部５０が器具本体１０の内側に挿入される。
【００７９】
次に、図１６に示すように、器具本体１０の内側に挿入された反射部５０の引掛爪５６が器具本体１０に設けられた孔に挿し込まれる。
【００８０】
次に、図１７に示すように、引掛爪５６が器具本体１０に設けられた孔に挿し込まれた状態で、反射部５０がつまみネジ５８で取付部４０の受部４３にネジ止めされる。これにより、反射部５０が固定される。
【００８１】
反射部５０のネジ止め位置よりも上方に位置する目隠し部５７は、可動部３０の可動領域を避けるように、反射部５０のネジ止め位置を含む、反射面５１を形成する部分よりも大きな角度で傾斜している。目隠し部５７は、本体平板部１１の目隠しの役割も果たしている。
【００８２】
次に、図１８に示すように、可動部３０が回転させられ、ピン部３５が調整部４２に挿し込まれることで、可動部３０が固定される。そして、光源ユニット２０が可動部３０に取り付けられる。ここで、遮光部６０は、遮光機能を十分に発揮でき、かつ、光源ユニット２０の着脱の妨げとならない形状になっている。
【００８３】
反射部５０を外す手順は、上記手順と逆になる。なお、光源ユニット２０が可動部３０に取り付けられたままでも、反射部５０を外すことは可能である。
【００８４】
本実施の形態では、引掛爪５６とつまみネジ５８との組み合わせによって反射部５０が固定される構造を採用することで、構成を簡素化することができ、また、取付部４０を小型化することができる。さらに、実施の形態１と比べて、反射部５０も小型化することができる。
【００８５】
以上、本発明の実施の形態について説明したが、これらの実施の形態のうち、２つ以上の実施の形態を組み合わせて実施しても構わない。あるいは、これらの実施の形態のうち、１つの実施の形態または２つ以上の実施の形態の組み合わせを部分的に実施しても構わない。なお、本発明は、これらの実施の形態に限定されるものではなく、必要に応じて種々の変更が可能である。
【符号の説明】
【００８６】
１０  器具本体、１１  本体平板部、１２  端子台、１３  長手端板、１４  固定孔、１５  電源穴、１６  端子台コネクタ、１７  開口、１８  鍔部、２０  光源ユニット、２１  カバー、２２  フレーム、２３  バネ受部、２４  電源装置、２５  保持部背面、２６  発光面、２７  光源蓋部、３０  可動部、３１  取付面、３２  バネ、３３  長手端面、３４  回転軸部、３５  ピン部、３６  鍔部、３７  コネクタ孔、３８  つまみ部、４０  取付部、４１  スリット部、４２  調整部、４３  受部、４４  固定孔、４５  鍔部、４６  スリット端部、４７  入口、４８  施工用の孔、５０  反射部、５１  反射面、５２  挿込片、５３  ピン部、５４  鍔部、５５  操作部、５６  引掛爪、５７  目隠し部、５８  つまみネジ、６０  遮光部、６１  対向面、７１  底壁部、７２  側壁部、７３  第１湾曲部、７４  第２湾曲部、７５  接続部、８０  照明器具、８１  ボルト、８２  ナット、９０  照明装置。
【図１】
2018006088.tif 000003
【図２】
2018006088.tif 000004
【図３】
2018006088.tif 000005
【図４】
2018006088.tif 000006
【図５】
2018006088.tif 000007
【図６】
2018006088.tif 000008
【図７】
2018006088.tif 000009
【図８】
2018006088.tif 000010
【図９】
2018006088.tif 000011
【図１０】
2018006088.tif 000012
【図１１】
2018006088.tif 000013
【図１２】
2018006088.tif 000014
【図１３】
2018006088.tif 000015
【図１４】
2018006088.tif 000016
【図１５】
2018006088.tif 000017
【図１６】
2018006088.tif 000018
【図１７】
2018006088.tif 000019
【図１８】
2018006088.tif 000020